(57)【要約】【課題】外装材固定部材の上部に確実に固定できると共に作業効率を安定化して良好にする。【解決手段】外装構造体の改修金具１は、下地材としてのＣ型鋼２上に配設された外装材（ここではスレート波板３）をＣ型鋼２に固定する外装材固定部材としてのフックボルト４の突出部４ａを固定する第１固定部５ａが形成されている長尺状の渡し部材５と、第１固定部５ａとの間に突出部４ａを挟み込む第２固定部６ａが形成されている固定部材６（突出部固定部材６）とを有している。【選択図】図１
2015068084.tif 000002
【特許請求の範囲】
【請求項１】
外装材の突出部を片側のみから押圧して該突出部に固定する固定部を備えた外装構造体の改修金具の突出部固定部材。
【請求項２】
突出部を有する外装材上に配置される渡し部材であって、該突出部を片側のみから押圧して該突出部に固定する固定部を備えた外装構造体の改修金具の渡し部材。
【請求項３】
突出部を有する外装材上に配置される外装構造体の改修金具であって、
該突出部に固定する第１固定部を有する渡し部材と、
該第１固定部との間に該突出部を挟み込む第２固定部を有する突出部固定部材とを備えた外装構造体の改修金具。
【請求項４】
前記渡し部材上に前記突出部固定部材を取り付けるときに前記第２固定部を所定方向に移動させて、前記第１固定部と該第２固定部で前記突出部を両側から挟み込んで該突出部に該渡し部材および該突出部固定部材を固定するように構成した請求項３に記載の外装構造体の改修金具。
【請求項５】
前記第１固定部は第１開口部であり、前記第２固定部は第２開口部および係合部のいずれかである請求項３または請求項４に記載の外装構造体の改修金具。
【請求項６】
前記突出部を両側から挟み込む前記第１固定部と前記第２固定部の少なくとも一方には弾性手段が設けられている請求項３から請求項５のいずれか一項に記載の外装構造体の改修金具。
【請求項７】
既設の外装材上に新規の外装材を敷設する外装構造体の改修構造であって、請求項３から請求項６のいずれか一項に記載の外装構造体の改修金具を、該既設の外装材の突出部に固定すると共に、該改修金具の長尺状の渡し部材上に該新規の外装材を取り付けた外装構造体の改修構造。
【発明の詳細な説明】
【技術分野】
【０００１】
本発明は、屋根や壁の既設のスレート板などの改修に用いる外装構造体の改修金具およびその改修金具の渡し部材、その改修金具の突出部固定部材、外装構造体の改修構造に関する。
【背景技術】
【０００２】
従来、既設の古いスレート屋根や壁などの例えばスレート構造体を改修するための改修工法には、いろいろな工法が開発されている。例えば、既設のスレート屋根の上に折板構造の金属製屋根を敷設する改修屋根工法が知られている。既設のスレート屋根の改修は、スレート板材のアスベストの飛散防止のために無塵工法の要求がある。スレート板をその下地材に固定するフックボルトのスレート板からの突出部は長期間使用のためにねじ山が潰れたりさびたりしてスレート板を取り外すのが困難な状況にある。
【０００３】
図１１は、特許文献１に開示されている従来のスレート構造体の改修金具を示す斜視図である。図１２は、図１１の従来のスレート構造体の改修金具をスレート板上に設置した場合の要部縦断面図である。図１３は、図１２の従来のスレート構造体の改修金具上に新規の外装材を設置した場合の要部縦断面図である。
【０００４】
図１１および図１２において、既存の屋根のリフォームに関して、屋根には既存の外装材として波板状のスレート板１０１が葺設されている。スレート板１０１は既存の固定具であるフックボルト１０２を用いて家屋の母屋としてのＣ型鋼１０３に固着されている。
【０００５】
フックボルト１０２の上端部分はスレート板１０１の凸部１０１ａに通されてスレート板１０１の上側に突出している。この突出したフックボルト１０２の上端部分にパッキン１０４とナット座金１０５とがこの順に嵌め込まれている。最後に、フックボルト１０２の上端部分に既存の締付ナット１０６が螺合されている。また、フックボルト１０２の下端部分はＣ型鋼１０３に引っ掛けて固定されている。
【０００６】
一方、葺替え用冶具１０７は、既存のスレート板１０１上に搭載される複数の支持金具１０８と、各支持金具１０８の上面に載置される長尺の外装下地材１０９とを備えている。
【０００７】
支持金具１０８は断面略逆Ｕ字状に形成され、上面部が矩形状の下地材支持面１０８ａとして形成されると共に両側部が脚部１０８ｂとして形成されている。脚部１０８ｂはスレート板１０１の１つの凸部を跨いでその両側の凹部上に載置されている。
【０００８】
また、支持金具１０８の下地材支持面１０８ａの略中央には凹所１０８ｃが設けられている。平面視で略長孔の挿入孔１０８ｄが凹所１０８ｃの底面を貫通するように形成されている。下地材支持面１０８ａに設けたこの挿入孔１０８ｄはフックボルト１０２の直径よりも充分に大きく形成されている。また、下地材支持面１０８ａの凹所１０８ｃ以外の箇所は、新規の外装下地材１０９を載置するための載置部１０８ｅとして形成される。
【０００９】
外装下地材１０９は、下方に開口したＣ字状凸部１０９ａの両端からフランジ部１０９ｂがそれぞれ突出したＣ型チャンネル（ハット型鋼）で構成されている。外装下地材１０９は、スレート板１０１の凸部の長手方向と直交する方向に向けて、各支持金具１０８の上面に配置される。フランジ部１０９ｂと載置部１０８ｅがビスやリベットで固着されている。
【００１０】
係止部材１０８ｆは略板状に形成され、その略中央部に一対の係止片１０８ｇが切り起こし加工により上方に向いて突出している。この一対の係止片１０８ｇは互いに対向し、且つ一対の係止片１０８ｇの先端（上端）が上方に傾斜している。一対の係止片１０８ｇの対向する先端（上端）間の間隙１０８ｈは、フックボルト１０２の上部の直径よりもやや小さめに形成されている。
【００１１】
一対の係止片１０８ｇの先端間にフックボルト１０２の上部を挿入する。これによって、一対の係止片１０８ｇでフックボルト１０２の上部を挟持する。
【００１２】
図１３において、新規の外装材１１０は、フラット部１１０ｂと凸部１１０ａとが交互に連続形成された波形の金属単板で構成されている。フックボルト１０２から外れた位置で新規の外装材１１０の凸部１１０ａの上方からドリルビス１１１を打入して、ドリルビス１１１の先端を新規の外装下地材１０９のＣ字状凸部１０９ａの上面部に打ち込む。これにより、新規の外装材１１０を外装下地材１０９に対して確実に固定できる。
【００１３】
図１４は、従来のスレート構造体の改修金具をスレート板上に設置した状態を模式的に示す要部縦断面図である。
【００１４】
図１４において、従来のスレート改修方法として、スレート板２０１の改修における無塵工法の要求はあるが、固定が、スレート板２０１とその下のＣ型鋼２０２を固定するフックボルト２０３のみであるため、スレート板２０１の山部上でスレート板２０１を固定しているナット２０４下のパッキン２０５とスレート板２０１との間に、固定金具２０６の板状の両先端部分２０６ａで両側から咥え込む方法を用いることができる。
【００１５】
固定金具２０６には、断面４角形の両側板間にボルト２０７が貫挿されており、ボルト２０７にナット２０８を螺合させて締め付ることにより、固定金具２０６の、対向する板状の両先端部分２０６ａを開いた状態から接近させてフックボルト２０３を両先端部分２０６ａで両側から咥え込むことができる。
【００１６】
このようにして、フックボルト２０３に固定金具２０６を取り付けた後に、スレート板２０１の山部に直交する桁方向に渡し材２０９を複数の固定金具２０６上に掛け渡して、固定金具２０６と渡し材２０９とをねじなどの固定手段で固定する。ここでは記載していないが、その上に新規の外装材を取り付ける。
【先行技術文献】
【特許文献】
【００１７】
【特許文献１】特開２００７−１８６９８９号公報
【発明の概要】
【発明が解決しようとする課題】
【００１８】
特許文献１に開示されている上記従来のスレート構造体の支持金具１０８では、フックボルト１０２の上端部を一対の係止片１０８ｇ間に金槌などで打入して、一対の係止片１０８ｇ間でフックボルト１０２を挟持して固定している。
【００１９】
ところが、一対の係止片１０８ｇの間隙１０８ｈは、切り起こしのため正確には安定化せず、広過ぎると簡単に抜けてしまい、新規の外装材１１０に風などで大きな力がかかったときに、フックボルト１０２の上部から支持金具１０８が抜ける虞がある。また、一対の係止片１０８ｇの間隙１０８ｈが狭ま過ぎると、フックボルト１０２の上端部の支持金具１０８への打入が困難となってスレート構造体の改修の作業性に悪影響が生じてしまう。
【００２０】
また別の従来のスレート改修方法では、パッキン２０５とスレート板２０１間を固定金具２０６の板状の両先端部分２０６ａで咥え込こむことや、その咥え込みにボルト２０７とナット２０８で締結する必要があることから、その作業効率が悪い。
【００２１】
本発明は、上記従来の問題を解決するもので、外装材固定部材の上部に確実に固定できると共に作業効率を安定化して良好にできる外装構造体の改修金具およびその改修金具の渡し部材、その改修金具の突出部固定部材、外装構造体の改修構造を提供することを目的とする。
【課題を解決するための手段】
【００２２】
本発明の外装構造体の改修金具の突出部固定部材は、外装材の突出部を片側のみから押圧して該突出部に固定する固定部を備えたものであり、そのことにより上記目的が達成される。
【００２３】
本発明の外装構造体の改修金具の渡し部材は、突出部を有する外装材上に配置される渡し部材であって、該突出部を片側のみから押圧して該突出部に固定する固定部を備えたものであり、そのことにより上記目的が達成される。
【００２４】
本発明の外装構造体の改修金具は、突出部を有する外装材上に配置される外装構造体の改修金具であって、該突出部に固定する第１固定部を有する渡し部材と、該第１固定部との間に該突出部を挟み込む第２固定部を有する突出部固定部材とを備えたものであり、そのことにより上記目的が達成される。
【００２５】
また、好ましくは、本発明の外装構造体の改修金具における渡し部材上に前記突出部固定部材を取り付けるときに前記第２固定部を所定方向に移動させて、前記第１固定部と該第２固定部で前記突出部を両側から挟み込んで該突出部に該渡し部材および該突出部固定部材を固定するように構成した。
【００２６】
さらに、好ましくは、本発明の外装構造体の改修金具における第１固定部は第１開口部であり、前記第２固定部は第２開口部および係合部のいずれかである。
【００２７】
さらに、好ましくは、本発明の外装構造体の改修金具における突出部を両側から挟み込む前記第１固定部と前記第２固定部の少なくとも一方には弾性手段が設けられている。
【００２８】
本発明の外装構造体の改修構造は、既設の外装材上に新規の外装材を敷設する外装構造体の改修構造であって、請求項３から請求項６のいずれか一項に記載の外装構造体の改修金具を、該既設の外装材の突出部に固定すると共に、該改修金具の長尺状の渡し部材上に該新規の外装材を取り付けたものであり、そのことにより上記目的が達成される。
【００２９】
本発明の外装構造体の改修金具の渡し部材は、下地材上の外装材上に配置される渡し部材において、該外装材を該下地材に固定する外装材固定部材の該外装材からの突出部を片側のみから押圧して該突出部に固定する第１固定部が形成されているものであり、そのことにより上記目的が達成される。
【００３０】
本発明の外装構造体の改修金具の突出部固定部材は、下地材上に配設された外装材を該下地材に固定する外装材固定部材の該外装材からの突出部を片側のみから押圧して該突出部に固定する第２固定部が形成されているものであり、そのことにより上記目的が達成される。
【００３１】
本発明の外装構造体の改修金具は、下地材上に配設された外装材を該下地材に固定する外装材固定部材の該外装材からの突出部に固定する第１固定部が形成されている渡し部材と、該第１固定部との間に該突出部を挟み込む第２固定部が形成されている突出部固定部材とを有するものであり、そのことにより上記目的が達成される。
【００３２】
また、好ましくは、本発明の外装構造体の改修金具における弾性手段は、弾性が効いた状態で切り起こされて構成されている。
【００３３】
本発明の外装構造体の改修構造は、既設の外装材上に新規の外装材を敷設する外装構造体の改修構造であって、本発明の上記外装構造体の改修金具を、該既設の外装材をその下の下地材に固定する外装材固定部材の該既設の外装材からの突出部に固定すると共に、該改修金具の長尺状の渡し部材上に該新規の外装材を取り付けたものであり、そのことにより上記目的が達成される。
【００３４】
上記構成により、以下、本発明の作用を説明する。
【００３５】
本発明においては、下地材上に配設された外装材を下地材に固定する外装材固定部材の外装材からの突出部を固定する第１固定部が形成されている長尺状の渡し部材と、第１固定部との間に突出部を挟み込む第２固定部が形成されている突出部固定部材とを有している。
【００３６】
これによって、外装構造体の改修に際して、既設の外装材から突出した外装材固定部材の突出部を、長尺状の渡し部材の開口部に貫通させて長尺状の渡し部材を外装材上に配置する。次に、渡し部材上に突出部固定部材の開口部を、その突出部が貫通するように配置する。その後、突出部固定部材の左右の長孔（長円形の開口部）からボルトなどの取り付け手段を通して渡し部材のタップ孔などに締結する。
【００３７】
したがって、外装材固定部材の上部に確実に固定できると共に作業効率を安定化して良好にすることが可能となる。
【発明の効果】
【００３８】
以上により、本発明によれば、外装材固定部材の上部に確実に固定できると共に作業効率を安定化して良好にできる。
【図面の簡単な説明】
【００３９】
【図１】本発明の実施形態１における外装構造体の改修金具の取り付け状態を示す斜視図である。
【図２】図１のＡ−Ａ’線縦断面図である。
【図３】図１の長尺状の渡し部材の構成図であって、（ａ）はその長尺状の渡し部材の上面図、（ｂ）はその長尺状の渡し部材の正面図、（ｃ）はその長尺状の渡し部材の裏面図、（ｄ）は（ａ）の長尺状の渡し部材の右側面図、（ｅ）は（ａ）の長尺状の渡し部材のＡ１−Ａ’線拡大縦断面図である。
【図４】図１の固定部材の構成図であって、（ａ）はその固定部材の上面図、（ｂ）はその固定部材の正面図、（ｃ）はその固定部材の右側面図、（ｄ）はそのＢ−Ｂ’線拡大縦断面図である。
【図５】図２のフックボルトの突出部を渡し部材および固定部材に固定する様子を説明するための斜視図である。
【図６】図５の渡し部材および固定部材によりフックボルトの突出部を固定した場合の要部縦断面図である。
【図７】（ａ）は、図２のフックボルトの突出部をスレート波板上で渡し部材および固定部材に固定した様子を説明するための斜視図、（ｂ）はその正面図である。
【図８】（ａ）は、図２のフックボルトの突出部を渡し部材および固定部材に固定した状態を示す平面図であり、（ｂ）は（ａ）の渡し部材上に新規な外装材を取り付け具で取り付けた状態を示す正面図である。
【図９】（ａ）は、図７（ａ）および図７（ｂ）の渡し部材上に新規な外装材を設置した様子を示す斜視図であり、（ｂ）はその正面図である。
【図１０】本発明の実施形態２における外装構造体の改修金具の取り付け状態を示す斜視図である。
【図１１】特許文献１に開示されている従来のスレート構造体の改修金具を示す斜視図である。
【図１２】図１１の従来のスレート構造体の改修金具をスレート板上に設置した場合の要部縦断面図である。
【図１３】図１２の従来のスレート構造体の改修金具上に新規の外装材を設置した場合の要部縦断面図である。
【図１４】従来のスレート構造体の改修金具をスレート板上に設置した状態を模式的に示す要部縦断面図である。
【発明を実施するための形態】
【００４０】
以下に、本発明の外装構造体の改修金具およびその改修構造の実施形態１、２について図面を参照しながら詳細に説明する。なお、各図における構成部材のそれぞれの厚みや長さなどは図面作成上の観点から、図示する構成に限定されるものではない。
【００４１】
（実施形態１）
図１は、本発明の実施形態１における外装構造体の改修金具の取り付け状態を示す斜視図である。図２は、図１のＡ−Ａ’線縦断面図である。
【００４２】
図１および図２において、本実施形態１の外装構造体の改修金具１は、外装材（ここではスレート波板３）上の、スレート波板３の山方向に直交する方向に配置される長尺状の渡し部材５と、渡し部材５上に配置される突出部固定部材６（単に固定部材６という）とを有している。
【００４３】
長尺状の渡し部材５は、ステンレス板材や亜鉛メッキされた鋼板材などの金属板材料を折り曲げて形成されている。長尺状の渡し部材５には、下地材（ここではＣ字鋼材２）上に配設された外装材（ここでは例えばスレート波板３）をＣ字鋼材２に固定する外装材固定部材（ここではスレート固定部材としてのフックボルト４）のスレート波板３上からの先端部の突出部４ａに固定する第１固定部５ａが形成されている。
【００４４】
固定部材６は、ステンレス板材や亜鉛メッキされた鋼板材などの金属板材料で形成されている。固定部材６には、渡し部材５の第１固定部５ａとの間にフックボルト４の上側のスレート波板３から出た先端部の突出部４ａを両側から挟み込む第２固定部６ａが形成されている。
【００４５】
渡し部材５上に固定部材６を取り付けるとき（ここではボルト６６による締結）に、固定部材６の第２固定部６ａを渡し部材５の垂直面５ｂ側の一方向（渡し部材５の長手方向に直交する方向に平行な方向）に移動させるように、第１固定部５ａと第２固定部６ａで突出部４ａを両側から挟み込んでフックボルト４の上端部側の突出部４ａに、渡し部材５およびその上の固定部材６により両側から固定するようになっている。
【００４６】
ここで、本実施形態１の外装構造体の改修金具１についてさらに詳細に説明する。その説明の前に、スレート波板３を固定するフックボルト４について更に説明する。
【００４７】
例えば外装材としてスレート波板３がある。フックボルト４は、その鍵状に曲がった下方の一端部４ｂが屋根や壁の下地材（梁材）としてのＣ型鋼２の開口側に係合している。また、フックボルト４は、ねじが切られた上方の他端部をスレート波板３の断面波状の山部側の位置で下から通してＣ型鋼２とスレート波板３を他端部のねじとナットによりパッキンを間に介在させて固定している。スレート波板３の山部上から出たフックボルト４の他端部をナットで締結し、そのナットから更に上側に突出したねじが切られた部分を、ここではフックボルト４の上端部側の突出部４ａと呼んでいる。
【００４８】
図３は、図１の長尺状の渡し部材５の構成図であって、図３（ａ）はその長尺状の渡し部材５の上面図、図３（ｂ）はその長尺状の渡し部材５の正面図、図３（ｃ）はその長尺状の渡し部材５の裏面図、図３（ｄ）は図３（ａ）の長尺状の渡し部材５の右側面図、図３（ｅ）は図３（ａ）の長尺状の渡し部材５のＡ１−Ａ’線拡大縦断面図である。
【００４９】
図３（ａ）〜図３（ｅ）において、長尺状の渡し部材５は、下方に開口した断面がコ字状凸部５１の長手方向一辺側からフランジ部５２が水平に連接され、コ字状凸部５１の長手方向他辺側から階段状に水平面５３から垂直面５４を介してフランジ部５５が水平に連接されている。これらのフランジ部５２、５５は高さ位置が同等であってスレート波板３上の山方向に直交する方向に配置される。なお、断面がコ字状凸部５１の上面５ｃは平らに構成され、後述するが、その上面５ｃに新規の外装材が取り付けられるようになっている。
【００５０】
フックボルト４の上端部側の突出部４ａが容易に貫通するサイズの開口部５６（ここでは平面視４角形）がフックボルト４の配設ピッチに対応して所定間隔で形成されている。コ字状凸部５１の垂直面５ｂ側のこの開口部５６の一辺の全部または一部（ここでは一辺の全部）が弾性手段５６ａとして弾性が効いた状態で上側に切り起こされている。
【００５１】
渡し部材５のコ字状凸部５１における垂直面５ｂには、開口部５６の一辺に直交する中心線から左右に均等に振り分けられた位置にそれぞれタップ孔５１ａが形成されている。このタップ孔５１ａのピッチ寸法は、フックボルト４の突出部４ａを避けて、後述するボルト６６を取り付け易い寸法になっている。そのコ字状凸部５１の垂直面５ｂと水平面５３とは断面Ｌ字状に形成されている。
【００５２】
フランジ部５５から垂直面５４を介した水平面５３内の高さ範囲内に、スレート波板３の山部でパッキンを介してフックボルト４の他端部をナットで締結した部分が収容され得るように水平面５３の内側の高さが設定されている。
【００５３】
図４は、図１の固定部材６の構成図であって、図４（ａ）はその固定部材６の上面図、図４（ｂ）はその固定部材６の正面図、図４（ｃ）はその固定部材６の右側面図、図４（ｄ）はそのＢ−Ｂ’線拡大縦断面図である。
【００５４】
図４（ａ）〜図４（ｄ）において、固定部材６は、４角形状の平面部６１の上辺側が上に折り曲げられて断面Ｌ字状に形成されている。平面部６１の左右方向中央位置で折り曲げ位置を１辺とする平面視４角形状の開口部６２が形成されている。開口部６２のサイズは、フックボルト４の他端部側の突出部４ａが容易に貫通可能なサイズである。折り曲げ位置を１辺とする平面視４角形状の開口部６２の、折り曲げ位置に対向する１辺中央部が弾性手段６２ａとして弾性が効いた状態で上側に所定幅で切り起こされている。この上に切り起こされた片の左右方向の幅はフックボルト４の突出部４ａの直径よりも若干小さいかまたは同等の寸法に設定されて、起こされた片とその入り口の両角部分との３点接で当接している。もちろん、切り起こされた片の左右方向の幅はフックボルト４の突出部４ａの直径よりも大きくてもよい。
【００５５】
断面Ｌ字状に折り曲げられた垂直面６３には、左右方向中心線の均等振り分け位置に左右方向に長い長円形の開口部６４（長孔）が２箇所形成されている。この各長円形の開口部６４（長孔）の中心部はそれぞれ、前述した長尺状の渡し部材５のコ字状凸部５１における垂直面５ｂに形成された各タップ孔５１ａの中心部に対応している。このボルト６６用の開口部６４を長孔にしている理由は、長尺状の渡し部材５の垂直面５ｂに形成されたタップ孔５１ａの位置に対して、スレート波板３をＣ字鋼材２に固定しているフックボルト４の突出部４ａの位置にずれ（誤差）があり、このずれ（誤差）を長孔で吸収するためである。これによって、フックボルト４の突出部４ａの位置が多少ずれても、フックボルト４の突出部４ａに開口部６２の弾性手段６２ａ（第２固定部６ａ）を正確に位置合わせすることができる。なお、長円形の開口部６４（長孔）の左または右の端にボルト６６を位置させてボルト６６をタップ孔５１ａに締結すれば、開口部６２の弾性手段６２ａの左または右の内周端面で突出部４ａを押圧することもできる。
【００５６】
断面Ｌ字状に折り曲げられた垂直面６３とは反対側の４角形状の平面部６１の１辺にも補強用に垂直面６５が断面Ｌ字状に折り曲げられているが、その垂直面６５の折り曲げ高さは、長円形の開口部６４へのボルト６６の取り付けが容易に行うことができるように垂直面６３よりも大幅に低く設定されている。
【００５７】
上記構成の本実施形態１の外装構造体の改修金具１の取り付け作業について説明する。
【００５８】
図５は、図２のフックボルト４の突出部４ａに渡し部材５および固定部材６を固定する様子を説明するための斜視図である。図６は、図５の渡し部材５および固定部材６によりフックボルト４の突出部４ａを固定した場合の要部縦断面図である。
【００５９】
図５に示すように、まず、スレート波板３上の山方向に直交する方向に長尺状の渡し部材５をその各開口部５６にそれぞれ各フックボルト４の突出部４ａを貫通させた状態で配置する。
【００６０】
次に、渡し部材５上に固定部材６をその開口部６２内にフックボルト４の突出部４ａを貫通させた状態で、固定部材６の各長円形の開口部６４（長孔）を、長尺状の渡し部材５の各タップ孔５１ａに対応させて配置する。
【００６１】
続いて、断面Ｌ字状に折り曲げられた固定部材６の垂直面６３の各長円形の開口部６４からそれぞれボルト６６をそれぞれ挿入して六角レンチにより渡し部材５の各タップ孔５１ａにボルト６６をそれぞれ締結する。
【００６２】
このとき、図６に示すように、渡し部材５の垂直面５ｂ上に固定部材６の垂直面６３を重ね合わせるようにボルト６６をタップ孔５１ａに締め付けるときに、弾性が効いた状態で上側に切り起こされた弾性片からなる弾性手段６２ａを、渡し部材５の垂直面５ｂ側に移動させて、弾性が効いた状態で上側に切り起こされている弾性片からなる弾性手段５６ａと弾性手段６２ａでフックボルト４の突出部４ａを両側から挟み込んで突出部４ａに渡し部材５および固定部材６を固定する。この状態を図１および図２に示している。
【００６３】
図７（ａ）は、図２のフックボルト４の突出部４ａをスレート波板３上で渡し部材５および固定部材６に固定した様子を説明するための斜視図であり、図７（ｂ）はその正面図である。
【００６４】
図７（ａ）および図７（ｂ）に示すように、スレート波板３の山方向に直交する方向に長尺状の渡し部材５が配置されている。スレート波板３の山部でスレート波板３がフックボルト４により下地材としてのＣ字鋼材２に固定されている。このフックボルト４の最上部分の突出部４ａを両側から、渡し部材５の弾性手段５６ａと固定部材６の弾性手段６２ａで挟んで固定している。なお、渡し部材５の開口部５６と弾性手段５６ａは前述した渡し部材５の第１固定部５ａに対応し、固定部材６の開口部６２と弾性手段６２ａは前述した固定部材６の第２固定部６ａに対応している。
【００６５】
図８（ａ）は、図２のフックボルト４の突出部４ａを渡し部材５および固定部材６に固定した状態を示す平面図であり、図８（ｂ）は図８（ａ）の渡し部材５上に新規な外装材７を取り付け具８（ボルトとナットなど）で取り付けた状態を示す正面図である。
【００６６】
図８（ｂ）に示すように、図８（ａ）の渡し部材５の上面５ｃ上に、新規な外装材７を配置する。このとき、渡し部材５の上面５ｃに形成されたタップ孔に対して上向きに取り付け具８としてのボルトをセットしておく。このボルトの先端に新規な外装材７の凸部の取り付け孔に下から通して渡し部材５の上面５ｃに新規な外装材７を配置する。この新規な外装材７の取り付け孔から突出したボルトの先端にナットを締結して渡し部材５上に新規な外装材７を取り付け具８により取り付ける。この様子を図９（ａ）および図９（ｂ）に示している。
【００６７】
図９（ａ）は、図７（ａ）および図７（ｂ）の渡し部材５上に新規な外装材７を設置した様子を示す斜視図であり、図９（ｂ）はその正面図である。
【００６８】
図９（ａ）および図９（ｂ）において、下地材としてのＣ型鋼２上にスレート波板３がフックボルト４により固定されている。スレート波板３の山部から突出したフックボルト４の突出部４ａに、渡し部材５と固定部材６が挟持されて固定されいる。渡し部材５の上面５ｃの取り付け孔９に新規な外装材７を取り付け具８（取り付けボルトとナットなど）により取り付けられている。
【００６９】
要するに、本実施形態１の外装構造体の改修構造は、既設の外装材としてのスレート波板３上に新規の外装材７を敷設する外装構造体の改修構造であって、本実施形態１の渡し部材５と固定部材６からなる外装構造体の改修金具１を、既設の外装材としてのスレート波板３をその下の下地材としてのＣ型鋼２上に固定する外装材固定部材としてのフックボルト４の突出部４ａであって、既設の外装材としてのスレート波板３から突出した突出部４ａに固定すると共に、改修金具１の長尺状の渡し部材５（取り付け孔９）上に新規の外装材７を取り付けて外装構造体を改修するものである。
【００７０】
以上により、本実施形態１によれば、外装構造体の改修金具１は、下地材としてのＣ型鋼２上に配設された外装材（ここではスレート波板３）をＣ型鋼２に固定する外装材固定部材としてのフックボルト４の突出部４ａに固定する第１固定部５ａが形成されている長尺状の渡し部材５と、第１固定部５ａとの間に突出部４ａを挟み込む第２固定部６ａが形成されている固定部材６（突出部固定部材６）とを有している。
【００７１】
これによって、外装構造体（ここではスレート波板３）の改修に際して、スレート波板３から突出したフックボルト４の突出部４ａを、長尺状の渡し部材５の開口部５６に貫通させて長尺状の渡し部材５をスレート波板３上に配置する。次に、長尺状の渡し部材５上に固定部材６を、その突出部４ａが開口部６２を貫通するように配置する。その後、固定部材６の左右の長孔（長円形の開口部６４）からボルト６６を通してボルト６６をタップ孔５１ａに締結する簡単な作業だけで、フックボルト４の突出部４ａが渡し部材５と固定部材６により両側から挟み込まれて突出部４ａが強固でかつより確実に固定されると共に、その作業効率を安定化して良好にすることができる。
【００７２】
なお、本実施形態１では、フックボルト４の突出部４ａを、渡し部材５の４角形の開口部５６の弾性手段５６ａ（例えば切り起こし片）と、固定部材６の４角形の開口部６２の弾性手段６２ａ（例えば切り起こし片）とにより両側から挟み込んでその突出部４ａに渡し部材５および固定部材６を強固かつ確実に固定するように構成したが、これに限らず、フックボルト４の突出部４ａ（外周にねじが切られている）を、渡し部材５の４角形の開口部５６の内周端面と、固定部材６の４角形の開口部６２の内周端面とにより両側から挟み込んでその突出部４ａに渡し部材５および固定部材６を強固かつ確実に固定するように構成してもよい。さらに、フックボルト４の突出部４ａ（外周にねじが切られている）を、両側から挟み込む第１固定部５ａと第２固定部６ａの少なくとも一方に弾性手段が設けられていてもよい。第１固定部５ａの開口部５６と第２固定部６ａの開口部６２には、例えば切り起こし片などの弾性手段５６ａまたは／および弾性手段６２ａが設けられていればよい。以上のことは、次の実施形態２の場合にも同様である。
【００７３】
なお、本実施形態１では、渡し部材５の開口部５６や固定部材６の開口部６２の平面視形状は４角形状に構成したが、これに限らず、渡し部材５の開口部５６や固定部材６の開口部６２の平面視形状は円形状や長円形状であってもよい。開口部５６、６２が円形状や長円形状の場合にも、フックボルト４の突出部４ａを、渡し部材５の円形状や長円形状の開口部の弾性手段（例えば切り起こし片）と、固定部材６の円形状や長円形状の開口部の弾性手段（例えば切り起こし片）とにより両側から挟み込んでその突出部４ａに渡し部材５および固定部材６を強固かつ確実に固定するように構成することができる。また同様に、フックボルト４の突出部４ａ（外周にねじが切られている）を、渡し部材５の円形状や長円形状の開口部の内周端面と、固定部材６の円形状や長円形状の開口部の内周端面とにより両側から挟み込んでその突出部４ａに渡し部材５および固定部材６を強固かつ確実に固定するように構成してもよい。さらに、フックボルト４の突出部４ａ（外周にねじが切られている）を、両側から挟み込む第１固定部５ａと第２固定部６ａの少なくとも一方に弾性手段が設けられていてもよい。第１固定部５ａの開口部と第２固定部６ａの開口部の少なくともいずれかに、例えば切り起こし片などの弾性手段が設けられていてもよい。以上のことは、次の実施形態２の場合にも同様である。
【００７４】
（実施形態２）
上記実施形態１では、フックボルト４の突出部４ａを、渡し部材５の４角形の開口部５６の弾性手段５６ａ（例えば切り起こし片）と、固定部材６の４角形の開口部６２の弾性手段６２ａ（例えば切り起こし片）とにより両側から挟み込んでその突出部４ａに渡し部材５および固定部材６を強固かつ確実に固定するように構成したが、本実施形態２では、フックボルト４の突出部４ａを、渡し部材５の４角形の開口部の端面と、固定部材６の切り欠き部の弾性手段とにより両側から挟み込んでその突出部４ａに渡し部材５および固定部材６を強固かつ確実に固定するように構成する場合について説明する。
【００７５】
図１０は、本発明の実施形態２における外装構造体の改修金具１Ａの取り付け状態を示す斜視図である。
【００７６】
図１０において、本実施形態２の外装構造体の改修金具１Ａは、外装材（ここではスレート波板３）上の、スレート波板３の山方向に直交する方向に配置される長尺状の渡し部材５Ａと、渡し部材５Ａ上に配置される突出部固定部材６Ａ（単に固定部材６Ａという）とを有している。
【００７７】
長尺状の渡し部材５Ａは、ステンレス板材や亜鉛メッキされた鋼板材などの金属板材料を折り曲げて形成されている。長尺状の渡し部材５Ａには、下地材（ここではＣ字鋼材２）上に配設された外装材（ここではスレート波板３）をＣ字鋼材２に固定する外装材固定部材（ここではスレート固定部材としてのフックボルト４）のスレート波板３上から突出した突出部４ａに固定する第１固定部５Ａａが形成されている。この第１固定部５Ａａと上記実施形態１の第１固定部５ａとの違いは、開口部で構成されているところは同じであるが、その第１固定部５Ａａの開口部には弾性手段（例えば切り起こし片）が設けられておらず、その開口部の内周端面と、後述する第２固定部６Ａａでフックボルト４の突出部４ａを両側から挟み込んで渡し部材５Ａおよび固定部材６Ａを固定する点である。
【００７８】
固定部材６Ａは、ステンレス板材や亜鉛メッキされた鋼板材などの金属板材料で形成されている。固定部材６Ａには、渡し部材５Ａの第１固定部５Ａａとの間にフックボルト４の上側のスレート波板３から出た突出部４ａを両側から挟み込む第２固定部６Ａａが形成されている。この第２固定部６Ａａは、平面部６１Ａを左側から４角形状に切り欠いだ係合部としての切り欠部を有している。第２固定部６Ａａは、第１固定部５Ａａとの間に突出部４ａを挟み込む切り欠部の端面に所定幅（突出部４ａの直径よりも大きいサイズ）で切り起こしてこれを弾性部材としている。第２固定部６Ａａとして単に切り欠部の端面であってもよい。これは固定部材６Ａの垂直面６３Ａに設けられた長円形の開口部６４（長孔）の右端にボルト６６をずらして締結することによって行うことができる。
【００７９】
渡し部材５Ａ上に固定部材６Ａを取り付けるとき（ここでは１本のボルト６６による締結）に、固定部材６Ａの第２固定部６Ａａを渡し部材５Ａの垂直面５Ａｂ側の所定方向に移動させるように、第１固定部５Ａａと第２固定部６Ａａで突出部４ａを両側から挟み込んでフックボルト４の上端部側の突出部４ａに渡し部材５Ａおよびその上の固定部材６Ａを両側から固定するようになっている。
【００８０】
以上により、本実施形態２によれば、外装構造体の改修金具１Ａは、下地材としてのＣ型鋼２上に配設された外装材（ここではスレート波板３）をＣ型鋼２に固定する外装材固定部材としてのフックボルト４の突出部４ａに固定する第１固定部５Ａａが形成されている長尺状の渡し部材５Ａと、第１固定部５Ａａとの間に突出部４ａを挟み込む第２固定部６Ａａが形成されている固定部材６Ａ（突出部固定部材６Ａ）とを有している。この場合、第１固定部５Ａａは開口部で構成され、第２固定部６Ａａは係合部（例えば切り欠き部および弾性手段、または切り欠き部および内周端面）で構成されている。
【００８１】
これによって、外装構造体（ここではスレート波板３）の改修に際して、スレート波板３から突出したフックボルト４の突出部４ａを、長尺状の渡し部材５Ａの開口部に貫通させて長尺状の渡し部材５Ａをスレート波板３上に配置する。次に、長尺状の渡し部材５Ａ上に固定部材６Ａを、その突出部４ａが固定部材６Ａの開口部を貫通するように配置する。その後、固定部材６Ａの一つの長孔（長円形の開口部６４）から１本のボルト６６を通してボルト６６を、渡し部材５Ａに形成されたタップ孔５１ａに締結する簡単な作業だけで、フックボルト４の突出部４ａが渡し部材５Ａと固定部材６Ａにより両側から挟み込まれて突出部４ａに渡し部材５Ａと固定部材６Ａが強固でかつより確実に固定されると共に、その作業効率を安定化して良好にすることができる。
【００８２】
なお、本実施形態１、２では、渡し部材５または５Ａ上に固定部材６または６Ａを取り付ける取り付け部材として、渡し部材５または５Ａのタップ孔５１ａとボルト６６で構成したが、これに限らず、タップ孔５１ａの代わりに単なる孔としてボルト６６とナットで構成してもよい。当然、ボルト６６にＳワッシャや平ワッシャを用いてボルト６６の緩み止めとすることもできる。また、取り付け部材として、タップ孔５１ａとボルト６６や、ボルト６６とナットの他にリベットなどを用いて作業性を向上させることもできる。ボルト６６の締結はトルク管理することによって、渡し部材５または５Ａの第２固定部６ａまたは６Ａａと、固定部材６または６Ａの第２固定部６ａまたは６Ａａとにより突出部４ａを両側から挟み込んで突出部４ａに渡し部材５または５Ａおよび固定部材６または６Ａを固定する力を管理することもできる。
【００８３】
なお、本実施形態１、２では、屋根や壁の下地材上に外装材としてスレート波板３を配置して用いたが、スレート波板３に限らず、平面状の外装材などであってもよく、要は、その外装材を固定する外装材固定部材（ここではフックボルト）の突出部が外装表面に露出し、これを渡し部材５または５Ａの第１固定部５Ａまたは５Ａａと固定部材６または６Ａの第２固定部６Ａまたは６Ａａとにより突出部４ａを両側から挟み込んで突出部４ａに渡し部材５Ａおよび固定部材６Ａを固定できればよい。
【００８４】
以上のように、本発明の好ましい実施形態１、２を用いて本発明を例示してきたが、本発明は、この実施形態１、２に限定して解釈されるべきものではない。本発明は、特許請求の範囲によってのみその範囲が解釈されるべきであることが理解される。当業者は、本発明の具体的な好ましい実施形態１、２の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００８５】
本発明は、屋根や壁の既設のスレート板などの改修に用いる外装構造体の改修金具およびその改修金具の渡し部材、その改修金具の突出部固定部材、外装構造体の改修構造の分野において、外装材固定部材の上部に確実に固定できると共に作業効率を安定化して良好にできる。
【符号の説明】
【００８６】
１  外装構造体の改修金具
２  Ｃ字鋼材（下地材）
３  スレート波板（外装材）
４  フックボルト（外装材固定部材としてのスレート固定部材）
４ａ  突出部
５、５Ａ  渡し部材
５ａ、５Ａａ  第１固定部
５ｂ  垂直面
５ｃ  上面
５１ コ字状凸部
５１ａ  タップ孔
５２  フランジ部
５３  水平面
５４  垂直面５４
５５  フランジ部
５６  開口部
５６ａ  弾性手段
６、６Ａ  固定部材（突出部固定部材）
６ａ、６Ａａ  第２固定部
６１、６１Ａ  平面部
６２  開口部
６２ａ  弾性手段
６３、６３Ａ  垂直面
６４  長円形の開口部（長孔）
６５  低い垂直面
６６  ボルト
７  新規な外装材
８  取り付け具（ボルトとナットなど）
９  取り付け孔
【図２】
2015068084.tif 000003
【図３】
2015068084.tif 000004
【図４】
2015068084.tif 000005
【図６】
2015068084.tif 000006
【図７】
2015068084.tif 000007
【図８】
2015068084.tif 000008
【図９】
2015068084.tif 000009
【図１１】
2015068084.tif 000010
【図１２】
2015068084.tif 000011
【図１３】
2015068084.tif 000012
【図１４】
2015068084.tif 000013
【図１】
2015068084.tif 000014
【図５】
2015068084.tif 000015
【図１０】
2015068084.tif 000016